(57)【要約】      （修正有）【課題】コンクリート打設時の土間スラブ等の表層転圧時において、表層に浮遊した粗骨材を沈め、隆起段差の少ない滑らかなモルタル表層を軽作業で実現するコンクリート転圧ローラーレーキを提供する。【解決手段】一本の軸１に円盤４を複数枚、隙間（隙間材５）を設け取付けて円筒状を形成し、円筒状の回転を可能とする軸受け２と、軸受け上部に柄３を有したことを特徴とし、円盤間の隙間がモルタル層への圧力を無くし、円盤の外端部がコンクリート表面に浮遊した粗骨材に対し的確に転圧を行うよう構成したことで、軽作業で、隆起段差の少ないモルタル表層の均一と締め固めを実現する。【選択図】図１
0003217616.tif 000002
【実用新案登録請求の範囲】
【請求項１】
一本の軸に円盤を複数枚取付けて円筒状を形成し、円筒状が回転を可能にする軸受けと、軸受け上部に柄を有したことを特徴とするコンクリート転圧ローラーレーキである。
【請求項２】
前記、円筒状を形成する円盤は、円盤間に隙間を設けモルタル層への圧力を無くし、コンクリート表面に浮遊した粗骨材に対し、円盤の外端部が的確に転圧するよう構成したことを特徴とするコンクリート転圧ローラーレーキである。
【請求項３】
前記、円盤間の隙間は、隙間材の外端部から円盤の外端部までを任意の寸法とし、粗骨材を沈める深さを調整できることを特徴とするコンクリート転圧ローラーレイキである。
【請求項４】
前記、軸受け上部に柄を有したことで、柄を縦に自立できることを特徴とするコンクリート転圧ローラーレーキである。
【考案の詳細な説明】
【技術分野】
【０００１】  本考案は、手仕上げ作業によるコンクリート打設時の土間スラブ等の転圧部分に関するものである。
【背景技術】
【０００２】  土間コンクリート等の打設時は、コンクリートを流し込んだ直後、バイブレーター等で締め固めながら、均し道具で不陸調整を行い、手仕上げ作業へと順次行われる。【０００３】  しかし不陸調整時、表層に粗骨材が浮遊しモルタル層が不均一となる問題がある。【０００４】  そこで問題に対し、浮遊した粗骨材を沈め、均一なモルタル表層とする表層転圧を行う。従来の表層転圧は、作業者がエキスパンドメタル板を取り付けた道具を使い、コンクリートの表面を叩く工法が一般的である。【０００５】  この工法は、叩く圧力で小さい穴からモルタル層が表面に浮き出すと同時に、穴を形成する網目状の筋が粗骨材を押し下げ、滑らかなモルタル表層を実現している。また、手仕上げ作業の簡略と外観不良等を防ぐために必要な作業である。
【先行技術文献】
【特許文献】
【０００６】
【特許文献１】実開平０６−０１０５１８
【非特許文献】
【０００７】
【非特許文献１】土間ならし。網目状の小さい穴の空いた金属板を取り付けた道具。
【考案の概要】
【考案が解決しようとする課題】
【０００８】  前記、従来の表層転圧においては、コンクリートが未硬化のうちに行なう作業のため、作業者が疲労し、また、叩く圧力でモルタル表層に段差が生じ、手仕上げ作業の際に困難を要する問題があった。【０００９】  この問題は、道具を持上げ、下に叩く連鎖疲労と、金属板の圧力がモルタル層に生じた隆起段差である。【００１０】  そこで本考案は、疲労軽減と、転圧段差が少ないコンクリート転圧ローラーレーキを提案することを課題とするものである。
【課題を解決するための手段】
【００１１】  本考案は前記の課題を解決するために、一本の軸に円盤を複数枚取付けて円筒状を形成し、円筒状が回転を可能とする軸受けと、軸受け上部に柄を有したことを特徴とするものである。【００１２】  円筒状を形成する複数枚の円盤は、コンクリートに含む粗骨材の最大寸法より小さい隙間を、円盤間に等間隔に設け、その隙間はモルタル層の隆起を減少し、円盤の外端部がコンクリート表面に浮遊した粗骨材に対し、的確に転圧を行う。これにより連鎖移動に生じる転圧の重複においても、モルタル層への圧力段差は少なく、粗骨材に対して順次に転圧を行うことが実現でき、前記課題を解決するものである。
【考案の効果】
【００１３】  本考案に係るコンクリート転圧ローラーレーキは、叩くことなく、作業者が柄を持ちゆっくりとコンクリート表層を押し引きすることで、複数枚の円盤が回転移動すると同時に、円盤の外端部が粗骨材に圧力をかけ、的確に沈めることができる。【００１４】  また、粗骨材を沈めると同時に、円盤間が生じる転動こね回しで、踏み入れた足跡やモルタル層の不均一が解消し、水分の上昇と同時に均一なモルタル表層が実現できる。【００１５】  よって、本考案に係るコンクリート転圧ローラーレーキは、従来の転圧と同様な効果が得られ、作業者の疲労軽減と均質な締め固めを可能とし、段差の少ない滑らかなコンクリート表面を実現し手仕上げ作業の簡略が可能となる。また、図７に示すように上部に余裕がない場所でも同様の効果が得られる。
【図面の簡単な説明】
【００１６】
【図１】  本考案に係る全体を示す斜視図である。
【図２】  本考案に係る上平面全体図である。
【図３】  本考案に係る下平面全体図である。
【図４】  本考案に係る転圧状況前断面拡大図である。
【図５】  本考案に係る転圧状況側断面拡大図である。
【図６】  本考案に係る自立状況図である。
【図７】  本考案に係る作業状況図である。
【考案を実施するための形態】
【００１７】  図１に示すように、一本の軸１に複数枚の円盤４と隙間材５を取付けて円筒状を形成し、軸１を支持する軸受け２と、軸受け２の上部に柄３を有する。
【実施例】
【００１８】  図４に示すように、複数枚の円盤４と隙間材５は軸１が通るよう中央に穴が開いている。円盤の板厚は約３ｍｍ、材質は樹脂製で柔軟性を持ち、円盤間に粗骨材９が挟まった場合、排除しやすい構造とする。隙間材５は円筒管で粗骨材の最大寸法より小さい巾寸法、約２０ｍｍ以下とする。円盤４と隙間材５は軸１へ交互に通し固定して円筒状を形成する。また、隙間材５の外端部から円盤４の外端部までを任意の寸法とし、粗骨材を沈める深さを調整する。【００１９】  軸受け２は軸１の回転を支持する股状型の金属製で形成し、軸１の支持位置は下位置になるよう上部に金属管の柄３を有することで、図６に示すように柄３を縦に自立を可能にする。よって作業者は鏝仕上げと交互した作業を容易に行なえる。【００２０】  図５に示すように、作業者は柄３を持ち、矢印１１の方向へ故意に圧力をかけることなく、ゆっくりと数回押し引きすることで、複数枚の円盤４の外端部６が的確に浮遊粗骨材９を沈め、表層７は均一なモルタル層となり、円板４の外端部６が、回転１０の転動こね回しが生じ、粗骨材８の均質な締め固めを行うと同時に段差が少ないコンクリート表面が実現できる。
【産業上の利用可能性】
【００２１】  本考案は、コンクリート打設作業時に利用される施工具。
【符号の説明】
【００２２】  １  軸
２  軸受け
３  柄
４  円盤
５  隙間材
６  外端部
７  表層
８  粗骨材
９  浮遊粗骨材
１０  回転
１１  移動
【図１】
0003217616.tif 000003
【図２】
0003217616.tif 000004
【図３】
0003217616.tif 000005
【図４】
0003217616.tif 000006
【図５】
0003217616.tif 000007
【図６】
0003217616.tif 000008
【図７】
0003217616.tif 000009
【手続補正書】
【提出日】平成30年6月4日(2018.6.4)
【手続補正１】
【補正対象書類名】実用新案登録請求の範囲
【補正対象項目名】全文
【補正方法】変更
【補正の内容】
【実用新案登録請求の範囲】
【請求項１】
一本の軸に円盤を複数枚、隙間を設け取付けて円筒状を形成し、円筒状が回転を可能にする軸受けと、軸受け上部に柄を有したことを特徴とするコンクリート転圧ローラーレーキ。
【請求項２】
一本の軸に円盤を複数枚、隙間を設け取付けて円筒状を形成し、円盤間の隙間がモルタル層への圧力を無くし、コンクリート表面に浮遊した粗骨材に対し、円盤の外端部が的確に転圧するよう構成したことを特徴とする請求項１に記載のコンクリート転圧ローラーレーキ。
【請求項３】
一本の軸に円盤を複数枚、隙間を設け取付けて円筒状を形成し、隙間を設けるための隙間材の外端部から円盤の外端部までを任意の寸法とし、粗骨材を沈める深さを調整できることを特徴とする請求項１に記載のコンクリート転圧ローラーレーキ。
【請求項４】
軸受け上部に柄を有したことで、柄を縦に自立できることを特徴とする請求項１に記載のコンクリート転圧ローラーレーキ。